(57)【特許請求の範囲】
【請求項１】
硫黄を含む光学材料用組成物を洗浄する洗浄剤であって、Ｎ−アルキルピロリドン（以下、（Ａ）化合物）と５員環または６員環の環状エーテル化合物（以下、（Ｂ）化合物）を含有し、（Ａ）化合物が２０〜５０重量％、（Ｂ）化合物が５０〜８０重量％であることを特徴とする光学材料用組成物の洗浄剤。
【請求項２】
（Ａ）化合物がＮ−メチルピロリドン、Ｎ−エチルピロリドンおよびＮ−プロピルピロリドンから選ばれる１種以上であることを特徴とする請求項１記載の光学材料用組成物の洗浄剤。
【請求項３】
（Ｂ）化合物がテトラヒドロフラン、ジオキサンおよびフランから選ばれる１種以上であることを特徴とする請求項１または２記載の光学材料用組成物の洗浄剤。
【請求項４】
（Ａ）化合物がＮ−メチルピロリドンであり、（Ｂ）化合物がテトラヒドロフラン、ジオキサンおよびフランから選ばれる１種以上であることを特徴とする請求項１記載の光学材料用組成物の洗浄剤。
【請求項５】
請求項１〜４いずれかに記載の洗浄剤で硫黄を含む光学材料用組成物を洗浄する洗浄方法。
【請求項６】
請求項４に記載の洗浄剤で硫黄を含む光学材料用組成物の調合に供した装置類を洗浄する洗浄方法。
【発明の詳細な説明】
【技術分野】
【０００１】
本発明は、屈折率およびアッベ数の高い光学材料の原料である硫黄原子および／またはセレン原子を有する無機化合物を使用して得られる光学材料用組成物の洗浄剤および洗浄方法に関するものである。本光学材料用組成物は、プラスチックレンズ、プリズム、光ファイバー、情報記録基盤、フィルター、接着剤等の光学製品、中でも、眼鏡用プラスチックレンズに有用である。
【背景技術】
【０００２】
プラスチック材料は軽量かつ靭性に富み、また染色が容易であることから、各種光学材料、特に眼鏡レンズに近年多用されている。光学材料、中でも眼鏡レンズに最も要求される主な性能は高屈折率であり、高屈折率化によりレンズは薄肉化する。近年、高屈折率化を目的として硫黄原子および／またはセレン原子を有する無機化合物を使用した光学材料が報告されている（特許文献１〜３）。しかしながら、これらの光学材料用組成物の調合に供した装置類を洗浄する際には、溶解性の面から特定の有機硫黄化合物を使用している。例えば、ビス（２−メルカプトエチル）スルフィドや１，２−エタンジチオールは臭気が強いため作業環境が悪く、更には排ガスを処理するためにアルカリスクラバーのような特殊な排気装置を設ける必要があった。さらに、洗浄後の廃液の安定性を確保する必要があり、これまでに廃液の安全性を配慮した洗浄剤については全く明らかになっていなかった。廃液の安定性が悪い場合、保管時に析出物が発生し、一般的な廃液処理が不可能となる場合もあった。
【０００３】
【特許文献１】特許３７３８８１７号公報
【特許文献２】特開２００２−８２２０３号公報
【特許文献３】特開２００２−１２２７０１号公報
【発明の開示】
【発明が解決しようとする課題】
【０００４】
高屈折率化を可能とする硫黄原子および／またはセレン原子を有する無機化合物を使用した光学材料用組成物に対して、良好な洗浄性かつ洗浄後の廃液の安定性が高い洗浄剤および洗浄方法を提供する。
【課題を解決するための手段】
【０００５】
本発明者はこの発明の課題を解決すべく鋭意研究を行った結果、硫黄原子および／またはセレン原子を有する無機化合物を含む光学材料用組成物を洗浄する際、（Ａ）ラクタムを有する化合物と（Ｂ）環状エーテル化合物を含有することを特徴とする光学材料用組成物の洗浄剤および洗浄方法を見出し、解決に至った。
【０００６】
すなわち、本発明は、以下のようである。
１．硫黄を含む光学材料用組成物を洗浄する洗浄剤であって、Ｎ−アルキルピロリドン（以下、（Ａ）化合物）と５員環または６員環の環状エーテル化合物（以下、（Ｂ）化合物）を含有し、（Ａ）化合物が２０〜５０重量％、（Ｂ）化合物が５０〜８０重量％であることを特徴とする光学材料用組成物の洗浄剤。
２．（Ａ）化合物がＮ−メチルピロリドン、Ｎ−エチルピロリドンおよびＮ−プロピルピロリドンから選ばれる１種以上であることを特徴とする第1項記載の光学材料用組成物の洗浄剤。
３．（Ｂ）化合物がテトラヒドロフラン、ジオキサンおよびフランから選ばれる１種以上であることを特徴とする第１項または第２項記載の光学材料用組成物の洗浄剤。
４．（Ａ）化合物がＮ−メチルピロリドンであり、（Ｂ）化合物がテトラヒドロフラン、ジオキサンおよびフランから選ばれる１種以上であることを特徴とする第１項記載の光学材料用組成物の洗浄剤。
５．第１〜４項いずれかに記載の洗浄剤で硫黄を含む光学材料用組成物を洗浄する洗浄方法。
６．第４項に記載の洗浄剤で硫黄を含む光学材料用組成物の調合に供した装置類を洗浄する洗浄方法。
【発明の効果】
【０００７】
硫黄原子および／またはセレン原子を有する無機化合物を含む光学材料用組成物を洗浄する際、（Ａ）ラクタムを有する化合物と（Ｂ）環状エーテル化合物を使用した洗浄剤を使用することにより、該光学材料用組成物を洗浄、除去でき、さらには洗浄後の廃液の安定性が高く、一般的な廃液処理が可能となった。
【発明を実施するための最良の形態】
【０００８】
本発明で使用する（Ａ）ラクタムを有する化合物は、カルボキシル基とアミノ基が脱水縮合した結合を有し、環を形成している化合物である。種々のラクタム類のなかで、好ましくは炭素数３〜８のラクタムであり、より好ましくはγ−ラクタムであり、特に好ましくは−アルキルピロリドン類である。特に好ましい具体例としては、Ｎ−メチルピロリドン、Ｎ−エチルピロリドン、Ｎ−プロピルピロリドンであり、最も好ましい具体例は、Ｎ−メチルピロリドンである。これらのラクタムは、単独でも、２種類以上を混合して使用しても良い。
【０００９】
本発明で用いる（Ｂ）環状エーテル化合物として好ましいものは、炭素数２〜１８の化合物であり、単環または多環式化合物、およびこれらのアルキル置換体を含むものである。具体例としては、エチレンオキシド、オキセタン、テトラヒドロフラン、テトラヒドロピラン、ジオキソラン、ジオキサン、トリオキサン、フラン、ピラン、ベンゾフラン、イソベンゾフラン、１−ベンゾピラン、２−イソベンゾピラン、などがあげられ、単独でも、２種類以上を混合して使用しても良い。これらの中で５員環または６員環化合物が、安全性と乾燥のしやすさ面から好ましい。特に好ましい具体例としては、テトラヒドロフラン、ジオキサン、フランであり、最も好ましい具体例は、テトラヒドロフランである。
【００１０】
（Ａ）ラクタムを有する化合物と（Ｂ）環状エーテル化合物の使用割合は、（Ａ）化合物が５〜９５重量％、（Ｂ）化合物が５〜９５重量％の割合が好ましい。より好ましくは、（Ａ）化合物が１０〜９０重量％、（Ｂ）化合物が１〜９０重量％の割合で、更に好ましくは、（Ａ）化合物が１５〜７０重量％、（Ｂ）化合物が３０〜８５重量％の割合である。特に好ましいのが、（Ａ）化合物が２０〜５０重量％、（Ｂ）化合物が５０〜８０重量％の割合である。
【００１１】
本発明では（Ａ）ラクタムを有する化合物と（Ｂ）環状エーテル化合物を混合したものを洗浄剤として使用するが、本発明の目的を損なわない範囲で、界面活性剤、酸化防止剤、紫外線吸収剤、防錆剤、希釈剤などの公知の添加剤を加えることも可能である。
【００１２】
本発明で洗浄の対象となる硫黄原子および／またはセレン原子を有する無機化合物を含む光学材料用組成物は、硫黄原子および／またはセレン原子を有する無機化合物１〜５０重量部、該無機化合物と反応可能な化合物５０〜９９重量部、必要に応じてその他の化合物、触媒、紫外線吸収剤、酸化防止剤、染料、離型剤などの公知の添加剤を含んだ組成物である。硫黄原子および／またはセレン原子を有する無機化合物としては、硫黄、二硫化炭素、硫化リン、硫化セレン、金属硫化物および金属水硫化物、セレン、二セレン化炭素、セレン化リン、金属のセレン化物であり、より好ましくは硫黄、二硫化炭素および硫化セレンであり、特に好ましくは硫黄である。これら硫黄原子およびセレン原子を有する無機化合物は、単独でも、２種類以上を混合して使用しても良い。硫黄原子および／またはセレン原子を有する無機化合物と反応可能な化合物としては、重合硬化することにより樹脂となりうるものであれば、特に限定されるものではないが、硫黄原子および／またはセレン原子を有する有機化合物より選ばれる１種以上の有機化合物であることが、重合硬化し得られる光学材料をより高屈折率なものとする上で好ましい。具体的には、メルカプタン類、スルフィド類、ポリスルフィド類、チオケトン類、チオイソシアネート類、チオ−ルスルフィナート類、チオ−ルスルホナート類、スルフィルイミン類およびその誘導体、スルホニウム塩類、スルホニウムイリド類、スルホン類、スルホキシイミン類およびその誘導体、スルフィン酸類およびその誘導体、スルホン酸類およびその誘導体であり、好ましくは、メルカプタン類、スルフィド類、ポリスルフィド類、より好ましくはスルフィド類の中のエピスルフィド類である。さらに好ましい具体例は、下記（１）式で表される構造である化合物であり、
【００１３】
ＣＨ２                                               ＣＨ２
／ ＼                                              ／ ＼
Ｓ―ＣＨ―(ＣＨ２)a―[Ｓb―(ＣＨ２)c―Ｓd]e―(ＣＨ２)f―ＣＨ―Ｓ      （１）
（式中、ａ、ｂ、ｃ、ｄ、ｅおよびｆは各々独立で０〜３の整数を表す。）
特に好ましくは、ビス（β−エピチオプロピル）スルフィド、ビス（β−エピチオプロピル）ジスルフィドである。
【００１４】
硫黄原子および／またはセレン原子を有する無機化合物を含む光学材料用組成物の洗浄方法は、これらの光学材料用組成物の調合に供した装置類を（Ａ）ラクタムを有する化合物と（Ｂ）環状エーテル化合物を混合したものを洗浄剤と使用して行う。光学材料用組成物と接触させる方法は、例えば洗浄剤を装置へ吹き付けたり、スポンジやウエスなどに染み込ませて拭き取ったり、洗浄剤を装置へ満たしたり、洗浄剤中へ装置を浸漬させたり、特に制限されない。必要に応じて同時に攪拌、振動、超音波照射、エアバブリングなどを併用してもかまわない。洗浄時の温度は、室温、加温下、冷却下のいずれでもかまわない。
【実施例】
【００１５】
以下、実施例により本発明を具体的に説明するが、本発明はこれらに限定されるものではない。
【００１６】
組成物の溶解性は、以下のように評価した。
Ａ；完全に溶解して洗浄剤が透明になったもの
Ｂ；ほとんど溶解したが洗浄剤に濁りが見えたもの
Ｃ；少ししか溶解せず溶け残りが見えたもの
Ｄ；全く溶けなかったもの
【００１７】
洗浄後の廃液の安定性は、３０℃で１日間、７日間および３０日間放置した後、目視で観察した。
Ａ；、廃液が透明なもの
Ｂ；若干不透明なもの
Ｃ；明らかに不透明だが沈降物のないもの
Ｄ；明らかに不透明かつ沈降物のみられるもの
【００１８】
光学材料用組成物の調整例
硫黄原子および／またはセレン原子を有する無機化合物を含む光学材料用組成物の調整
５００ｍｌのガラスフラスコに硫黄５０ｇとビス（チオグリシジル）スルフィド４５０ｇを３０℃で混合攪拌した。約３時間後、均一な組成物を得た。
【００１９】
実施例１
光学材料用組成物の調整例に記した光学材料用組成物の調整時に使用したガラスフラスコから、大部分の組成物を取り出したのち、洗浄剤としてＮ−メチルピロリドン（ＮＭＰ）５重量％とテトラヒドロフラン（ＴＨＦ）９５重量％からなる洗浄液を吹き付けた。組成物は、完全に溶解して洗浄剤が透明になり、フラスコはきれいに洗浄できた。組成物の溶解した洗浄剤の廃液を３０℃で保管したところ、７日間は透明であった。結果を表１に示す。
【００２０】
実施例２〜１１、比較例１〜４
表１に示す洗浄剤として用いる以外、実施例１と同様の操作を繰り返した。結果を表１に示す。
【００２１】
【表１】
0005423943.tif 000002
【００２２】
【表２】
0005423943.tif 000003